(57)【要約】【課題】揺動可能で、正面の看者から見て最も審美的な方向に該装飾物の正面を向ける機能を有し、デザインの自由度や審美的価値を一層高めることができ、装飾物の輝きの変化をより幻想的で、より魅惑的な装身具を提供すること。【解決手段】装飾物１０と、装飾物１０を揺動可能に支持する補助具２０とを備えた装身具１であって、装飾物１０を補助具２０に対して揺動可能に吊下げるための吊下部１３が装飾物１０に設けられ、補助具２０が、基体２１と、基体２１から装飾物１０に向けて設置され、吊下部１３を支持することで装飾物１０を揺動可能にする支持部２２とを備え、装飾物の重心をゼロ点とするXYZ座標系において、支持部と吊下部との各係合部の中心点の各XYZ座標値の平均座標を示す平均点が、装飾物１０の重心より上部に位置し、該平均点を、装飾物１０の重心を通る鉛直線上、或は鉛直線上から偏芯した位置に配置する。【選択図】図１
2017205406.tif 000002
【特許請求の範囲】
【請求項１】
装飾物と、該装飾物を揺動可能に支持する補助具とを備えた装身具であって、
前記装飾物を前記補助具に対して揺動可能に吊り下げるための吊下部を備え、
前記補助具が、
基体と、
該基体から前記装飾物に向けて設置され、前記吊下部を支持することで前記装飾物を揺動可能にする支持部とを備え、
前記装飾物の重心をゼロ点とするXYZ座標系において、前記支持部と前記吊下部との各係合部の中心点の各XYZ座標値の平均座標を示す平均点が、前記装飾物の重心より上部に位置し、
前記平均点が、前記装飾物の重心を通る鉛直線上、あるいは該鉛直線上から偏芯した位置に配置されて、前記装飾物の正面が、前記装飾物の正面に位置する看者から見て審美的に適切な所定の角度や向きに調節されていることを特徴とする装身具。
【請求項２】
前記装飾物または前記補助具の少なくとも一方に錘部を備えていることを特徴とする請求項１記載の装身具。
【請求項３】
前記錘部が着脱可能であることを特徴とする請求項２記載の装身具。
【請求項４】
前記装飾物が、装飾物本体と、該装飾物本体を保持する保持手段とを備え、
前記吊下部が、前記装飾物の正面に位置する看者から見えないように前記保持手段の背面に設けられていることを特徴とする請求項１〜３のいずれかの項に記載の装身具。
【請求項５】
前記基体が前記装飾物の背面に設けられ、正面視における前記装飾物の外形形状より小さいことを特徴とする請求項１〜４のいずれかの項に記載の装身具。
【請求項６】
前記装飾物と前記補助具とを吊り下げるための保持部が設けられ、
該保持部が、前記装飾物と前記補助具とを含む全体の重心の鉛直線上、又は該鉛直線上から偏芯した位置に設置されていることを特徴とする請求項１〜５のいずれかの項に記載の装身具。
【請求項７】
前記装飾物の周囲に、装飾枠が配置され、
該装飾枠が前記装飾物に固定されていることを特徴とする請求項１〜６のいずれかの項に記載の装身具。
【請求項８】
前記装飾物の周囲に、装飾枠が配置され、
該装飾枠が前記基体に固定されていることを特徴とする請求項１〜７のいずれかの項に記載の装身具。
【発明の詳細な説明】
【技術分野】
【０００１】
本発明は、装身具に関し、より詳細には、宝石等からなる装飾物が揺動可能に設けられ、装飾物の正面を、正面に位置する看者からみて審美的に適切な所定の角度や向きに調節できる装身具に関する。
【背景技術】
【０００２】
宝石や金銀等の装飾品は、光を反射することで輝き、見る人を魅了する。そして、装飾品が揺動することで、その輝きに微妙な変化が生じ、さらに美しさが増すため、装飾品が揺動しやすいように構成された装身具が提案されている。
【０００３】
例えば、宝石に少なくとも１つの貫通孔が形成され、貫通孔に挿通されると共に装飾具本体に連結されて宝石が装飾具本体に揺動可能に支持された連結部を備えることで、宝石が揺動する装身具が提案されている（下記の特許文献１）。
【０００４】
また、ダイヤモンド等が揺動するように、ダイヤモンド等を回動可能に２点で支持するフレームが設けられた装身具が提案されている（下記の特許文献２）。
【０００５】
さらには、ダイヤモンド等が揺動するように、ダイヤモンド等を回動可能に２点で支持するフレームが設けられ、該２点が装飾物の重心に対して上方位置になるように、装飾物に錘部を取り付けた装身具が提案されている（下記の特許文献３）。
【０００６】
［発明が解決しようとする課題］
上記特許文献１、２、３に提案されている装身具では、宝石あるいは宝石を支持した装飾体の揺動機構を支持するための、宝石を支える台座やフレームを、該宝石の周囲に必ず設けなければならず、これらが装身具をデザインする上での大きな制限となっており、また装身具の審美的価値を低下させる要因の一つとなっていた。
【０００７】
さらには、正面に位置する看者からみて、装飾体の正面を、宝石が最も美しく見える角度に自在に調整することができるものではなかった。ここで、「装飾体の正面」とは、装飾体の看者に見せようとする側を示している。
また、特許文献３の錘部は、ダイヤモンド等を回動可能に支持する２点を、装飾物の重心より上部に位置させる機能を有するものであり、正面に位置する看者からみて、装飾体の正面を、宝石が最も美しく見える角度や向きに自在に調整する機能は有していなかった。
【先行技術文献】
【特許文献】
【０００８】
【特許文献１】特開２００７−６１３３６号
【特許文献２】特許５４２４４３５号
【特許文献３】特許５２７９３２４号
【発明の概要】
【課題を解決するための手段及びその効果】
【０００９】
本発明は上記課題に鑑みなされたものであって、揺動可能で、正面の看者から見て最も審美的な方向に装飾物の正面を向ける機能を有し、デザインの自由度や審美的価値を一層高めることができ、装飾物の輝きの変化をより幻想的で、より魅惑的なものとすることができる装身具を提供することを目的としている。
【００１０】
上記目的を達成するために本発明に係る装身具（１）は、装飾物と、該装飾物を揺動可能に支持する補助具とを備えた装身具であって、前記装飾物を前記補助具に対して揺動可能に吊り下げるための吊下部を備え、前記補助具が、基体と、該基体から前記装飾物に向けて設置され、前記吊下部を支持することで前記装飾物を揺動可能にする支持部とを備え、前記装飾物の重心をゼロ点とするXYZ座標系において、前記支持部と前記吊下部との各係合部の中心点の各XYZ座標値の平均座標を示す平均点が、前記装飾物の重心より上部に位置し、前記平均点が、前記装飾物の重心を通る鉛直線上、あるいは該鉛直線上から偏芯した位置に配置されて、前記装飾物の正面が、前記装飾物の正面に位置する看者から見て審美的に適切な所定の角度や向きに調節されていることを特徴としている。
【００１１】
上記装身具（１）によれば、前記装飾物を揺動可能に保持し、さらに、前記装飾物の重心をゼロ点とするXYZ座標系において、前記支持部と前記吊下部との各係合部の中心点の各XYZ座標値の平均座標を示す平均点が、前記装飾物の重心より上部に位置し、前記平均点が、前記装飾物の重心を通る鉛直線上、あるいは該鉛直線上から偏芯した位置に配置されることによって、前記装飾物の正面が、前記看者から見て審美的に適切な所定の角度や向きに調節されているので、正面に位置する看者から見て、前記装飾物の正面を、宝石等からなる前記装飾物が最も美しく見える方向に向けることができるとともに、前記装飾物の小刻みな揺動が促され、リズミカルな揺動によって、前記装飾物の輝きの変化をより幻想的で、より魅惑的なものとすることができる。
【００１２】
また本発明に係る装身具（２）は、上記装身具（１）において、前記装飾物の正面を、正面に位置する看者から見て審美的に適切な所定の角度や向きに調節すること、さらには振幅や周期などの揺動状態を調整することを目的として、前記装飾物または前記補助具の少なくとも一方に錘部を備えていることを特徴としている。
【００１３】
上記装身具（２）によれば、前記装飾物と前記補助具とが所定の均衡状態となるように、前記装飾物または前記補助具の少なくとも一方、すなわち前記装飾物または前記補助具、あるいは両者に前記錘部が設けられ、該錘部により前記所定の均衡状態が調整されているので、例えば、正面に位置する看者から見て、前記装飾物の正面が、宝石等からなる前記装飾物が最も美しく見える角度や向きとなるように、当該装身具全体の重量バランスを適切に調整することができる。さらには、前記錘部の重量や数量、取り付け位置によって、前記装飾物の振幅や周期などの揺動状態を変えることができる。
【００１４】
また本発明に係る装身具（３）は、上記装身具（２）において、前記錘部が着脱可能であることを特徴としている。
上記装身具（３）によれば、前記錘部が着脱可能に構成されているので、前記錘部の位置や数量、重量などを調整することで、装着者が自由に、前記装飾物の正面の角度や向きおよび振幅や周期などの揺動状態を調整することができる。
【００１５】
また本発明に係る装身具（４）は、上記装身具（１）〜（３）のいずれかにおいて、前記装飾物が、装飾物本体と、該装飾物本体を保持する保持手段とを備え、前記吊下部が、前記装飾物の正面に位置する看者から見えないように前記保持手段の背面に設けられていることを特徴としている。
【００１６】
上記装身具（４）によれば、前記吊下部が、前記装飾物の正面に位置する看者から見えないように設けられているため、前記装飾物を宙に浮いているように見せることができるため、装身具の審美的価値を一層高めることができる。
【００１７】
また本発明に係る装身具（５）は、上記装身具（１）〜（４）のいずれかにおいて、前記基体が、前記装飾物の背面に設けられ、正面視における前記装飾物の外形形状より小さいことを特徴としている。
【００１８】
上記装身具（５）によれば、前記基体が、前記装飾物の背面に設けられ、正面視における前記装飾物の外形形状より小さいので、正面の看者に前記装飾物のみを見せることが可能になる。そのため、正面に位置する看者に、前記装飾物のみが揺動している状態を見せることができ、これにより、前記補助具と前記装飾物とを統一的なデザインにする必要がなく、前記装飾物のデザインの自由度を高めることができ、装身具の審美的価値も一層高めることができる。
【００１９】
また本発明に係る装身具（６）は、上記装身具（１）〜（５）のいずれかにおいて、前記装飾物と前記補助具とを吊り下げるための保持部が設けられ、該保持部が、前記装飾物と前記補助具とを含む全体の重心の鉛直線上、又は該鉛直線上から偏芯した位置に配設されていることを特徴としている。
【００２０】
上記装身具（６）によれば、前記装飾物をネックレスやピアス、イヤリングのように、前記装飾物と前記補助具とを吊り下げて使用する場合であり、かつ、前記保持部が、前記装飾物と前記補助具とを含む全体の重心の鉛直線上に配設されている場合には、前記装飾物の略正面を常に前記所定の角度や向きに設定することができる。
または、前記保持部が、前記装飾物と前記補助具とを含む全体の重心の鉛直線上から偏芯した位置に配設されることによって、後述する装身具（８）で、前記装飾物の周囲に設置される装飾枠を、前記看者から見て審美的に適切な所定の向きや角度に調節することができる。
【００２１】
また本発明に係る装身具（７）は、上記装身具（１）〜（６）のいずれかにおいて、前記装飾物の周囲に、装飾枠が配置され、該装飾枠が前記装飾物に固定されていることを特徴としている。
【００２２】
上記装身具（７）によれば、前記装飾物の周囲に、前記装飾枠が配置され、該装飾枠が前記装飾物に固定されているので、前記装飾物と前記装飾枠とを一体構造として揺動させることができ、また、前記装飾物と前記装飾枠を合わせた全体の正面を、正面に位置する看者から見て審美的に適切な所定の角度や向きに調節することができる。
たとえば、前記装飾物がダイヤモンドなどの宝石を含む場合、中央にダイヤモンドを配置し、その周囲に前記装飾枠を設け、該装飾枠の正面に小さなダイヤモンドが散りばめられたものとすることで、正面の看者に、中央のダイヤモンドと前記装飾枠に散りばめられた小さなダイヤモンド群を含めた全体を一つの大きなダイヤモンドのように見せるように、デザインを施すことができる。上記装身具（７）によれば、このようなデザインでも、中央のダイヤモンドと前記装飾枠に散りばめられた小さなダイヤモンド群を一体構造として取り扱うことが可能となるため、それらを一体構造として揺動させ、かつ前記装飾枠を含めた正面全体を正面に位置する看者から見て審美的に適切な所定の角度や向きに調節することができる。
【００２３】
また本発明に係る装身具（８）は、上記装身具（１）〜（７）のいずれかにおいて、前記装飾物の周囲に、装飾枠が配置され、前記装飾枠が前記基体に固定されていることを特徴としている。
【００２４】
上記装身具（８）によれば、揺動する前記装飾物の周囲に、揺動しない前記装飾枠を設けることができる。また、前記装飾枠は自由にデザインすることが可能であるため、揺動しない装飾枠と、揺動する前記装飾物とを合わせた全体の自由なデザインが可能となり、それにより装身具の審美的価値を一層高めることができる。かつ装身具（６）と組み合わせて、装身具（８）をネックレスやピアス、イヤリングなどのように吊り下げて使用する場合、装身具（８）を吊り下げるための前記保持部が、前記装飾物と前記補助具とを含む全体の重心の鉛直線上、又は該鉛直線上から偏芯した位置に配設することによって、前記装飾枠を正面に位置する看者からみて審美的に適切な所定の角度や向きに調節することができる。
【図面の簡単な説明】
【００２５】
【図１】本発明の実施の形態（１）に係る装身具を示す図であり、（ａ）は正面図、（ｂ−１）〜（ｂ−３）は部分断面側面図、（ｃ）は平面図である。
【図２】（ａ）〜（ｃ）は、実施の形態（１）に係る装身具における吊下部と支持部との別の係合部の形態例を示した平面図である。
【図３】実施の形態（２）に係る装身具を示す図であり、（ａ−１）、（ａ−２）は正面図、（ｂ−１）〜（ｂ−３）は部分断面側面図、（ｃ）は平面図である。
【図４】実施の形態（３）に係る装身具を示す図であり、（ａ）は正面図、（ｂ−１）〜（ｂ−３）は部分断面側面図、（ｃ）は平面図である。
【図５】実施の形態（４）に係る装身具を示す図であり、（ａ−１）、（ａ−２）は正面図、（ｂ−１）〜（ｂ−３）は部分断面側面図、（ｃ）は平面図である。
【図６】実施の形態（５）に係る装身具を示す図であり、（ａ）は正面図、（ｂ）は側面図、（ｃ）は平面図である。
【図７】実施の形態（６）に係る装身具を示す図であり、（ａ）は正面図、（ｂ−１）〜（ｂ−３）は部分断面側面図、（ｃ）は平面図である。
【図８】実施の形態（７）に係る装身具を示す図であり、（ａ−１）、（ａ−２）は正面図、（ｂ−１）〜（ｂ−３）は部分断面側面図、（ｃ）は平面図である。
【発明を実施するための形態】
【００２６】
以下、本発明に係る装身具の実施の形態を図面に基づいて説明する。なお、以下の説明は本発明に関する良好な一例を開示するものであり、本発明が各実施の形態に限定されるものではない。例えば、各実施の形態において開示する装身具の形状や構造等は、良好な一例を示すに過ぎず、その他の可能性を否定するものではない。
【００２７】
本発明に係る装身具は、宝石や貴金属等に細工を施した装飾物を揺動可能にし、該装飾物の正面を、正面に位置する看者から見て審美的に適切な所定の角度や向きに調節できる装身具であり、特にネックレス、ブローチ、ピアス、イヤリング、ブレスレット等への使用に適したものであるが、他の種の装身具にも本発明を適用することは勿論可能である。
【００２８】
図１は、実施の形態（１）に係る装身具を示す図であり、（ａ）は正面図、（ｂ−１）〜（ｂ−３）は部分断面側面図、（ｃ）は平面図である。
実施の形態（１）に係る装身具１は、正面の看者から見て、装飾物本体１１のみが見えて、かつ装飾物本体１１の正面が審美的に美しい角度や向きに保持されて、揺動する形態を有している。
【００２９】
装身具１は、装飾物１０と、装飾物１０を揺動可能に支持する補助具２０とを含んで構成されている。装飾物１０は、ダイヤモンド等の宝石などからなる装飾物本体１１と、装飾物本体１１を保持する保持手段１２とを備えている。
保持手段１２の背面には、装飾物１０を補助具２０に対して揺動可能に吊り下げるための吊下部１３を備え、吊下部１３は、装飾物１０の正面から見えないように、すなわち装飾物１０の正面投影範囲内に位置するように保持手段１２の背面に設けられている。
【００３０】
補助具２０は、装飾物１０の背面側に配設された基体２１と、基体２１から装飾物１０に向けて設置され、吊下部１３を支持することで装飾物１０を揺動可能にする支持部２２とを備えている。
また、装飾物１０の重心Bをゼロ点とするXYZ（X軸、Y軸、Z軸）座標系において、支持部２２と吊下部１３の各係合部の中心点の各XYZ座標値の平均座標を示す平均点が、装飾物１０の重心Bより上部に位置し、前記平均点が、装飾物１０の重心を通る鉛直線上、あるいは該鉛直線上から偏芯した位置に配置されて、装飾物１０の正面が、正面に位置する看者からみて審美的に適切な所定の角度や向きに調節されている。
【００３１】
さらに、補助具２０は、装飾物１０をネックレスのように吊り下げて使用する場合には、必要に応じて、基体２１から装飾物１０に向けて設置（延設）された支持部２３と、支持部２３に取り付けられ、チェーン等を保持する保持部２４とを備えている。保持部２４は、装飾物１０と補助具２０を含む装身具１全体の重心の鉛直線上に設置されている。
さらには、支持部２３で支持部２２を兼用し、支持部２３で吊下部１３を支持することも可能である。
また、支持部２３と基体２１を兼用させて、例えば、装飾物１０を取り囲むような円筒形状にして（すなわち、図１（ｂ−１）、（ｂ−２）、（ｂ−３）で、支持部２３を円筒形状とし、基体２１を兼ねて、図１に示した基体２１を設けていない状態にして）、支持部２３より、支持部２２を装飾物１０の方向に伸ばす構造にすることもできる。
より具体的には、上記構造に加えて、吊下部１３を図１に示すような円環形状ではなく、装飾物１０を取り囲むような円筒形状にし、採光のための孔や模様を設けたり、線状構造で円筒を形成することも可能である。この場合、支持部２２を、例えばJ字形で先端が針状に尖った線状形状にして、円筒形状をした吊下部１３の貫通孔部に挿入し、先端を円筒形状の吊下部１３に設けられた窪み部や孔部に挿入することで、装飾物１０を支持して、揺動させる構成にすることもできる。
このように、これらは適切な揺動状態を得ることや、正面に位置する看者から見て審美的に適切な所定の向きや角度に調節すること、さらにはデザイン上の理由などから、自由に設計することが可能である。
また、デザインによっては、基体２１を装飾物１０よりも大きくし、正面に位置する看者から、基体２１の一部および、支持部２２、支持部２３、吊下部１３、保持部２４の一部または全体を目視できるように配置することも可能である。
【００３２】
保持部２４の代わりに、基体２１の背面にクリップや留め具等を保持部として設けることで、イヤリング、ピアス、ブローチ等として使用できる。あるいは、基体２１自体をクリップや留め具とすることで、イヤリング、ピアス、ブローチ等として使用することもできる。
【００３３】
吊下部１３は、丸カン等の環状部材を装飾物本体１１または保持手段１２に、穿孔されたものや、ろう付け等により固着形成されたものの他、保持手段１２に一体形成されたものや接着されたものであってもよい。
また、図１に示す吊下部１３は、側面視円環状に形成されているが、この形状に限定されず、例えば、楕円環状、矩形環状などで形成されていてもよく、また線状構造や環状部材を組み合わせたものなどで構成されていてもよい。あるいは、前記のような、装飾物１０を取り囲むような円筒形状や、半円筒形状、断面視で９０°に4分の1分割された円筒形状などであっても良い。
また、図１においては、吊下部１３は、保持手段１２に２箇所設けられているが、１個所でも良く、また３個所以上に設けることも可能である。
【００３４】
保持手段１２は、例えば、金、銀、プラチナ、パラジウム、あるいはその合金、である貴金属、または、チタン、タングステン、純銅、純鉄、あるいは合金である真鍮、ステンレス鋼などの非貴金属、金属にメッキ等を施したもの、プラスティック、あるいはこれらの複合構造などにより形成され、台座や石座としての機能を有するものである。
【００３５】
保持手段１２の形態は、図１に示す形態に限定されるものではなく、装飾物本体１１を保持可能な形態であればよく、例えば、略平板形状、略円盤形状、略円錐形状、略半球形状、略円筒形状、線条体の組み合わせ形状をしたものなどが採用され得る。
本実施の形態においては、デザインや装飾物本体１１の材質によっては、装飾物１０を装飾物本体１１のみで構成し、すなわち、保持手段１２を設けず、装飾物本体１１に直接、穿孔などの手段によって、吊下部１３を配設することもできる。
【００３６】
また、図１に示した保持手段１２は、装飾物本体１１を固定するための爪１２ａを有しているが、爪以外の固定方法でも良い。保持手段１２は、爪１２ａを除き、装飾物本体１１の正面から見えない形態とすることが好ましいが、装飾の一部として正面から見える形態としてもよい。保持手段１２には、装飾性を付与するとともに光を取り込みやすくするため、あるいはゴミなどを排出しやすくするための、複数の通孔、模様、透かしなどが形成されていてもよい。また、保持手段１２の内面が研磨等により鏡面仕上げとされたものや、保持手段１２の内面に光反射部材（図示せず）が別途配設されたものを使用することもできる。
【００３７】
補助具２０は、正面視における装飾物本体１１より小さなサイズ、すなわち装飾物１０の正面投影範囲内に収まるサイズで構成されている。したがって、正面の看者から見れば、装飾物本体１１のみが見え、補助具２０は見えない状態となっている。
しかし、デザインによっては、補助具２０を構成する基体２１を装飾物１０よりも大きくし、正面に位置する看者から、基体２１の一部および、支持部２２、支持部２３、吊下部１３、保持部２４の一部または全体を目視できるように配置することも可能である。
補助具２０は、例えば、金、銀、プラチナ、パラジウム、あるいはその合金である貴金属、または、チタン、タングステン、純銅、純鉄、あるいは合金である真鍮、ステンレス鋼などの非貴金属、金属にメッキ等を施したもの、プラスティック、あるいはこれらの複合構造などにより形成される。
【００３８】
基体２１は、例えば略円盤状に形成され、略中央部分に通光性やデザイン性を高めるための円形の通孔２１ａが形成されていてもよいが、基体２１の外形、通孔の形状や個数はこれに限定されない。
さらには、前記のように、支持部２３の形状によっては、支持部２３で基体２１を兼用することも可能である。
【００３９】
また、補助具２０は、基体２１から装飾物１０側に突出形成された支持部２２を含んで構成されている。支持部２２は直線状の他、ループ状などにして装飾性を高めることもできる。また、支持部２２を各種のスプリング部材、又は板バネ、線バネなどの各種バネ部材などの弾性部材で構成することもできる。さらには、前記のように、支持部２３からJ字形状で、吊下部１３を支持することも可能である。支持部２２と吊下部１３とが接触する係合部A１、A２は、支持部２２を吊下部１３に係合させて、装飾物１０を揺動可能に支持するための部位である。
【００４０】
支持部２２と基体２１との固定方法は、容易に外れない強固な固定方法であれば、どのような方法でもよく、例えば、ろう付け、あるいは前記のように、支持部２２端部を基体２１に形成された孔部（図示せず）に挿し込んで係合する方法などが採用され得る。
支持部２２の形状は、どのようなものであっても良く、図１のようなT字状の他、丸環のような円環状や線状構造、あるいは線状構造の組み合わせ、前記J字形状、円環を連結したチェーンのような形状、さらには装飾物１０を取り囲むような構造であっても良い。
【００４１】
また、吊下部１３と支持部２２との係合部A１、A２の摩擦抵抗は極力小さくすることが好ましく、たとえば、係合部A１、A２における支持部２２の断面形状を、線状の稜線を備えた山形形状とすることが好ましい。さらに、吊下部１３の断面形状を、円形形状、より好ましくは、断面視において内周部に向けて先細の形状（山形形状）としてもよい。あるいは、吊下部１３の内面上部に穿孔を設け、支持部２２から針状構造体を前記穿孔に挿入する構造とすることもできる。
また、図１に示した装身具１では、吊下部１３と支持部２２との係合部A１、A２が２個所形成されているが、係合部は１個所でも良く、さらには３個所以上に形成されていてもよい。
【００４２】
さらには、支持部２３と基体２１との固定方法は、容易に外れない強固な固定方法であれば、どのような方法でもよく、例えば、ろう付け、支持部２３端部を基体２１に形成された孔部（図示せず）に挿し込んで係合する方法などが採用され得る。また、支持部２３を各種のスプリング部材、又は板バネ、線バネなどの各種バネ部材などの弾性部材で構成することもできる。
また、前記のように、支持部２３の形状によっては、支持部２３で基体２１を兼用することも可能である。
【００４３】
次に実施の形態（１）に係る装身具１の揺動動作について説明する。
吊下部１３と支持部２２との係合部A１、A２は基本的には点で形成されているが、線で形成されていても良い。
係合部A１、A２が点の場合、装飾物１０（装飾物本体１１と保持手段１２を含む）の重心Bをゼロ点とするXYZ座標系において、各係合部A１、A２の座標のX軸、Y軸、Z軸の各座標値の平均座標を示す平均点（この場合、A１とA２の中点）が、装飾物１０の重心Bより上部に位置し、前記平均点が、重心Bを通る鉛直線上、あるいは該鉛直線上から偏芯した位置に配置されて、装飾物１０の正面が、正面に位置する看者からみて審美的に適切な所定の角度や向きとなるように調節されている。
【００４４】
また、係合部A１、A２が線の場合、装飾物１０の重心Bをゼロ点とするXYZ座標系において、各係合部A１、A２の線の中心点の座標のX軸、Y軸、Z軸の各座標値の平均座標を示す平均点が、装飾物１０の重心Bより上部に位置し、前記平均点が、装飾物１０の重心Bを通る鉛直線上、あるいは該鉛直線上から偏芯した位置に配置されて、装飾物１０の正面が、正面に位置する看者からみて審美的に適切な所定の角度や向きとなるように調節されている。
【００４５】
以下、揺動動作について具体的に説明する。
（装飾物本体１１の正面の角度<１>）
図１（ｂ−１）に示した形態が、前記平均点が装飾物１０の重心Bを通る鉛直線上にあり、かつ正面から見て、重心Ｂを通る鉛直線と平均点が重なる場合である。この場合は、装飾物本体１１の正面の角度を略鉛直に保って、装飾物本体１１を揺動させることができる。
【００４６】
（装飾物本体１１の正面の角度<２>）
また、図１（ｂ−２）に示した形態が、前記平均点が装飾物１０の重心Bを通る鉛直線より後方にあり、かつ正面から見て、重心Ｂを通る鉛直線と平均点が重なる場合である。この場合は、装飾物本体１１の正面の角度を鉛直線に対して下向きに保って、装飾物本体１１を揺動させることができる。
【００４７】
（装飾物本体１１の正面の角度<３>）
さらに、図１（ｂ−３）に示した形態が、前記平均点が装飾物１０の重心Bを通る鉛直線より前方にあり、かつ正面から見て、重心Ｂを通る鉛直線と平均点が重なる場合である。この場合は、装飾物本体１１の正面の角度を鉛直線に対して上向きに保って、装飾物本体１１を揺動させることができる。
【００４８】
（装飾物本体１１の正面の向き<A>）
図１（ｂ−１）、（ｂ−２）、（ｂ−３）に示すように、正面から見て、前記平均点が装飾物１０の重心Bを通る鉛直線と重なる位置にある場合、正面の看者から見て、装飾物本体１１の向きを、鉛直線と直交する水平線に沿った、真正面に保って、装飾物本体１１を揺動させることができる。
【００４９】
（装飾物本体１１の正面の向き<B>）
あるいは、正面から見て、前記平均点が装飾物１０の重心Bを通る鉛直線より右側にある場合（図示せず）、正面の看者から見て、装飾物本体１１の正面を左向きに保って、装飾物本体１１を揺動させることができる。
【００５０】
（装飾物本体１１の正面の向き<C>）
逆に、正面から見て、前記平均点が装飾物１０の重心Bを通る鉛直線より左側にある場合（図示せず）、正面の看者から見て、装飾物本体１１の正面を右向きに保って、装飾物本体１１を揺動させることができる。
【００５１】
（装飾物本体１１の正面の角度と向き：<１>、<２>、<３>と<A>、<B>、<C>との組み合わせ）
さらに、前記<１>、<２>、<３>のいずれかの形態と<A>、<B>、<C>のいずれかの形態とを組み合わせることにより、装飾物１０の正面の角度と向きを、正面に位置する看者から見て自由に調整することが可能となり、また審美的に適切な所定の角度と向きに調節可能となっている。なお、図１（ｃ）は、前記<１>と<A>とを組み合わせた形態を示した平面図である。
【００５２】
保持部２４は、装飾物１０をネックレスのように吊り下げて使用する場合に、必要に応じて設けられるもので、チェーン等を保持する部位であり、基体２１から装飾物１０に向けて設置された支持部２３に固定されている。実施の形態（１）においては、保持部２４と支持部２３とは、正面から見て、装飾物本体１１に隠れており、換言すれば、装飾物１０の正面投影範囲内に配置されて、正面の看者から見えない構造になっている。
【００５３】
しかし、デザインによっては、正面に位置する看者から、保持部２４の一部または全体を目視できるように配置することも可能である。
また、図１では支持部２３は平板形状であるが、支持部２３の形状は、どのようなものであっても良く、図１のような平板状の他、丸環のような円環状や線状構造、あるいは線状構造の組み合わせ、さらには装飾物１０を取り囲むような構造であっても良い。
また、支持部２３には、装飾性を高めたり、採光やゴミの排出のための、穿孔や、透かし、模様が施されていても良い。
また、前記のように、支持部２３で基体２１を兼用することもできる。
【００５４】
上記実施の形態（１）に係る装身具１によれば、保持手段１２の背面に、すなわち、装飾物１０の正面投影範囲内に、吊下部１３と、補助具２０とが設けられていることが基本構造であるので、支持部２２を含む補助具２０が装飾物本体１１に隠れて、前方より見えにくくなり、あるいは完全に見えなくなるため、正面の看者に揺動する装飾物本体１１のみを見せることができ、装飾物１０のデザインの自由度を高めることができ、それにより装身具の審美的価値も一層高めることができる。ただし、前記の通り、デザイン上、吊下部１３と補助具２０が正面の看者から目視できるようにすることも可能である。
【００５５】
また、支持部２２と吊下部１３との各係合部A１、A２の中心点の座標の各XYZ座標値の平均座標を示す平均点が、装飾物１０の重心Bより上部に位置し、前記平均点が、装飾物１０の重心Bを通る鉛直線上、あるいは該鉛直線上から偏芯した位置に配置されて、装飾物１０の正面が、正面に位置する看者からみて審美的に適切な所定の角度と向きに調節されているので、前記看者からみて、揺動する装飾物１０の正面を、宝石等の装飾物本体１１が最も美しく見えるように位置させることができるとともに、装飾物１０を、あたかも宙に浮いているように見せることができ、さらに装飾物１０の小刻みな揺動が促され、リズミカルな揺動によって、装飾物１０の輝きの変化をより幻想的で、より魅惑的なものとすることができる。
【００５６】
なお、吊下部１３と支持部２２との係合形態は、図１に示した形態に限定されるものではなく、例えば、図２に示した形態なども採用され得る。図２（ａ）〜（ｃ）は、実施の形態（１）に係る装身具における吊下部と支持部との別の係合形態の一例を示した平面図である。なお、図２に示す各平面図では、吊下部と支持部との形態を分かりやすくするために、図１に示した保持部２４および支持部２３は図示を省略している。
【００５７】
図２（ａ）に示す装身具１では、略円環状の吊下部１３Ａが、装飾物１０に１箇所設けられ、支持部２２Ａが、細長形状をした略コの字形状の部材で構成され、その両端の開放端が基体２１に固定され、略コの字形状の中央部に吊下部１３Ａが係合される係合部Ａが１箇所形成された構成となっている。
【００５８】
また、図２（ｂ）に示す装身具１では、線状構造の吊下部１３Ｂが、装飾物１０に設けられ、支持部２２Ｂが、図１に示した装身具１と同様に略Ｔ字形状の部材で構成され、Ｔ字の縦軸部の端部が基体２１に固定され、Ｔ字の横軸部が吊下部１３Ｂにそれぞれ係合されて、２箇所の係合部A１、A2が形成された構成となっている。
この場合、支持部２２Ｂの横軸部に、装飾物１０の水平方向の移動を規制するための水平位置規制部２２ａを設けてもよい。
【００５９】
さらに、図２（ｃ）に示す装身具１では、略円環状の吊下部１３Ｃが、装飾物１０に所定間隔を設けて水平方向に２箇所並列に設けられ、支持部２２Ｃが、２本の略Ｌ字状をした屈曲可能な部材で構成され、支持部２２Ｃの各Ｌ字状部材の一端が基体２１に固定され、各Ｌ字状部材の他端が吊下部１３Ｃにそれぞれ係合されて、２箇所の係合部A１、A2が形成された構成となっている。
図２（ａ）〜（ｃ）に示す装身具１の揺動の機構、及び装飾物正面の角度と向きの調整方法は、図１に示した実施の形態（１）に係る装身具１と同様であり、装飾物１０の揺動動作、及び装飾物正面の角度と向きの調整について、実施の形態（１）に係る装身具１と同様の作用及び効果を得ることができる。
【００６０】
図３は、実施の形態（２）に係る装身具を示す図であり、（ａ−１）、（ａ−２）は正面図、（ｂ−１）〜（ｂ−３）は部分断面側面図、（ｃ）は平面図である。なお、図１に示す実施の形態（１）に係る装身具１と同一機能を有する構成部品には同一符号を付し、ここではその説明を省略する。
実施の形態（１）に係る装身具１では、装飾物本体１１が、ダイヤモンドカットなどが施された１つの宝石等（ダイヤモンドなど）で構成されていたが、実施の形態（２）に係る装身具１Ａでは、装飾物本体１１Ａが多数（複数）のダイヤモンド等の宝石等で構成されている。装飾物本体１１Ａを構成する宝石は図１のようにダイヤモンドカットがなされていなくてもよい。
【００６１】
尚、図３（ａ−１）は、正面の看者から保持手段１２Ａが、デザインとして目視できるケースであり、図３（ａ−２）は、正面の看者から保持手段１２Ａが目視できず、デザインとして装飾物本体１１Ａのみが目視できるケースである。
また、装飾物本体１１Ａを構成する多数の宝石の正面側配置例を図３（ａ−１）、（ａ−２）に示しているが、宝石の配置形態はこれに限定されるものではなく、宝石の種類、サイズ、形状、配列などをデザインに応じて適宜設計することができる。
【００６２】
保持手段１２Ａは、多数の宝石等からなる装飾物本体１１Ａが保持可能に形成されている。保持手段１２Ａには、装飾物本体１１Ａを固定するための爪が設けられているが、爪以外の固定方法でもよい。保持手段１２Ａには、複数の通孔、模様、透かしなどの様々なデザインが施されていてもよい。また、保持手段１２Ａに、装飾物１０の重心の位置を調整する目的や、装飾として装飾体１４が取り付けられていても良い。装飾体１４の形状は自由に設計することができ、保持手段１２Ａの背面を囲うように設けても良く、又は線状構造体などで構成しても良い。また、装飾性や通光性を保つために、装飾体１４に、透かし、孔、模様などの様々なデザインが施されていても良い。
また、図中Bは、装飾物１０（装飾物本体１１Ａ、保持手段１２Ａ、装飾体１４を含む）全体の重心を表している。
【００６３】
また、実施の形態（２）に係る装身具１Ａの揺動の機構、及び装飾物正面の角度と向きの調整方法は、図１に示した実施の形態（１）に係る装身具１と同様である。
すなわち、図３（ｂ−１）に示した形態が、＜１＞前記平均点が装飾物１０の重心Bを通る鉛直線上にあり、かつ正面から見て、重心Ｂを通る鉛直線と平均点が重なる場合である。図３（ｂ−２）に示した形態が、＜２＞前記平均点が装飾物１０の重心Bを通る鉛直線より後方にあり、かつ正面から見て、重心Ｂを通る鉛直線と平均点が重なる場合である。図３（ｂ−３）に示した形態が、＜３＞前記平均点が装飾物１０の重心Bを通る鉛直線より前方にあり、かつ正面から見て、重心Ｂを通る鉛直線と平均点が重なる場合である。図３（ｂ−１）、（ｂ−２）、（ｂ−３）の形態にそれぞれ前記平均点の位置を調整することで、装飾物本体１１Ａの正面の角度（鉛直、下向き、上向き）を調整することが可能となっている。
【００６４】
また、装飾物本体１１Ａの正面の向きについて、正面から見て、＜Ａ＞前記平均点が装飾物１０の重心Bを通る鉛直線と重なる位置、＜Ｂ＞前記平均点が装飾物１０の重心Bを通る鉛直線より右側の位置、＜Ｃ＞前記平均点が装飾物１０の重心Bを通る鉛直線より左側の位置となるように、前記平均点の位置を調整することで、装飾物本体１１Ａの正面の向き（真正面、左向き、右向き）を調整することが可能となっている。
【００６５】
さらに、上記<１>、<２>、<３>のいずれかの形態と<A>、<B>、<C>のいずれかの形態とを組み合わせることにより、装飾物１０の正面の角度と向きを、正面に位置する看者からみて自由に調整することが可能となり、また審美的に適切な所定の角度と向きに調節可能となっている。なお、図３（ｃ）は、前記<１>と<A>を組み合わせた形態を示した平面図である。
【００６６】
図４は、実施の形態（３）に係る装身具を示す図であり、（ａ）は正面図、（ｂ−１）〜（ｂ−３）は部分断面側面図、（ｃ）は平面図である。なお、図１に示す実施の形態（１）に係る装身具１と同一機能を有する構成部品には同一符号を付し、ここではその説明を省略する。
実施の形態（３）に係る装身具１Ｂでは、保持手段１２または補助具２０の少なくとも一方に錘部１５、２５が設けられ、それにより、正面の看者から見て、装飾物本体１１のみが見えて、かつ装飾物本体１１の正面が審美的に美しい角度と向きに保持され、揺動の状態を調整することが可能となっている。
しかし、デザイン上の観点から、基体２０を装飾物１０よりも大きくし、正面に位置する看者から、基体２０の一部および、支持部２２、支持部２３、吊下部１３の一部または全体を目視できるように配置しても良い。
【００６７】
図４に示すように、錘部１５は保持手段１２の背面に取り付けられ、錘部２５は基体２１に取り付けられる。錘部１５と保持手段１２との固定方法、及び錘部２５と基体２１との固定方法は、容易に外れない強固な固定方法であれば、どのような方法でもよく、例えば、ろう付け、接着、端部を保持手段１２または基体２１に形成された孔部（図示せず）に挿し込んで固着する方法、保持手段１２や基体２１の一部肉厚を厚くする方法、保持手段１２や基体２１に比重の大きな金属を埋め込む方法などが採用され得る。
【００６８】
錘部１５、錘部２５は、例えば、金、銀、プラチナ、パラジウム、あるいはその合金である貴金属、または、チタン、タングステン、純銅、純鉄、あるいは合金である真鍮、ステンレス鋼などの非貴金属、金属にメッキ等を施したもの、プラスティック、あるいはこれらの複合構造などにより形成され、各々保持手段１２または基体２１と同材質であっても良いし、異種材質であっても良い。
また、錘部１５、錘部２５の形状は平板状、円柱状、塊状などのどのような形状であっても良く、デザイン等を考慮して自由に選定でき、また、保持手段１２と一体形成されたものや内部に埋め込まれたものであってもよい。
さらに、錘部１５、錘部２５の重量や個数、取り付け位置などは、装飾物１０や装身具１Ｂの各重心位置を変更、調整する目的で、装飾物１０や補助具２０の重量、大きさ等を考慮して自由に選定することができる。
【００６９】
また、錘部１５、錘部２５は、ボルトなどの取付具や挟み込み構造にするなどの方法により着脱可能な構成とすることもできる。この場合、錘部１５は保持手段１２の背面、錘部２５は基体２１の任意の位置にそれぞれ取り付け可能に構成することができる。また、錘部１５、錘部２５の重量や個数を変えることで、装飾物本体１１の正面の角度や揺動の状態、あるいは基体２１の角度を自由に調節することができる。
【００７０】
さらに、錘部２５は、前記のとおり、鉛直軸に対する基体２１の角度と向きを自由に変える機能を有するとともに、装身具全体の重心の位置を変える機能を有している。これにより、装飾物１０がネックレスのように吊り下げて使用するものである場合には、チェーン等の保持部２４をデザイン上好ましい位置に変えることができる。
【００７１】
また、錘部１５は、装飾物１０（装飾物本体１１と保持手段１２を含む）全体の重心Bの位置を変えるとともに、揺動の状態を変える機能を有する。
重心Ｂの位置を変えることにより、上記実施の形態（１）と同様に、装飾物１０の正面の角度と向きを、正面に位置する看者からみて自由に調整することが可能となり、審美的に適切な所定の角度と向きに調節することが可能となる。
さらに、錘部１５の重量や数量、取り付け位置等を変えることにより、揺動のモーメントを変化させて、揺動の状態を自由に変えることができる。
錘部１５と錘部２５は、どちらか一つだけ取り付けても良いし、両者を同時に取り付けても良い。
【００７２】
図５は、実施の形態（４）に係る装身具を示す図であり、（ａ−１）、（ａ−２）は正面図、（ｂ−１）、（ｂ−２）、（ｂ−３）は部分断面側面図、（ｃ）は平面図である。
実施の形態（４）に係る装身具１Ｃは、図３に示す実施の形態（２）に係る装身具１Ａの保持手段１２Ａ又は基体２１の少なくとも一方に錘部１５、２５を取り付けたものであり、装身具１Ａと同一機能を有する構成部品には同一符号を付し、ここではその説明を省略する。また、錘部１５、錘部２５の構成や機能等は、実施の形態（３）に係る装身具１Ｂに設けた錘部１５、錘部２５と同様であるので、ここではその説明を省略する。
【００７３】
ここで、図５（ａ−１）は、正面の看者から保持手段１２Ａが、デザインとして目視できるケースであり、図５（ａ−２）は、正面の看者から保持手段１２Ａが目視できず、デザインとして装飾物本体１１Ａのみが目視できるケースである。
また、装飾物本体１１Ａを構成する多数の宝石の正面側配置例を図５（ａ−１）、（ａ−２）に示しているが、宝石の配置形態はこれに限定されるものではなく、宝石の種類、サイズ、形状、配列などをデザインに応じて適宜設計することができる。
【００７４】
実施の形態（４）に係る装身具１Ｃの揺動の機構、及び装飾物正面の角度と向きの調整方法は、図３、４に示した実施の形態（２）、（３）に係る装身具１Ａ、１Ｂと同様であり、装飾物１０の揺動動作及び装飾物正面の角度と向きの調整について、実施の形態（２）、（３）に係る装身具１Ａ、１Ｂと同様の作用及び効果を得ることができる。
【００７５】
図６は、実施の形態（５）に係る装身具を示す図であり、（ａ）は正面図、（ｂ）は側面図、（ｃ）は平面図である。図５に示す実施の形態（４）に係る装身具１Ｃと同一機能を有する構成部品には同一符号を付し、ここではその説明を省略する。
ここで、図６（ａ）は、正面の看者から保持手段１２Ａが目視できるケースであるが、図３（ａ−２）や図５（ａ−２）のように、正面の看者から保持手段１２Ａが目視できず、装飾物本体１１Ａのみが目視できるケースも存在する（図示せず）。
また、装飾物本体１１Ａを構成する多数の宝石の正面側配置例を図６（ａ−１）に示しているが、宝石の配置形態はこれに限定されるものではなく、宝石の種類、サイズ、形状、配列などをデザインに応じて適宜設計することができる。
【００７６】
実施の形態（５）に係る装身具１Ｄが、実施の形態（４）に係る装身具１Ｃと相違する主な点は、吊下部１３Ｄ、支持部２２Ｄ、保持具２４の形態にある。
すなわち、実施の形態（５）は、実施の形態（４）における支持部２２と保持部２４が、正面の看者から目視でき、保持部２４が直接基体２１に結合されている形態を表している。
この実施の形態（５）は、実施の形態（４）のみならず、前記の実施の形態（１）〜（３）にも適用することができる。
【００７７】
より具体的には、環状部材などからなる吊下部１３Ｄが、保持手段１２Ｂの背面に１箇所設けられている。
支持部２２Ｄは、細長Ｕ字状に折り曲げられた線状体を、さらに略Ｕ字状に折り曲げて形成された部材である。支持部２２Ｄ略中央のＵ字状部分に、吊下部１３Ｄが係合され、係合部Ａが形成されるようになっている。
基体２１の上端部に、環状の保持具２４が設けられ、基体２１の背面に錘部２５が設けられている。また、保持手段１２Ｂに錘部１５を設けることもできる。錘部１５、２５の構成や機能等は、実施の形態（３）に係る装身具１Ｂの錘部１５、２５と同様であるので、ここではその説明を省略する。
【００７８】
また、実施の形態（５）に係る装身具１Ｄの揺動の機構、及び装飾物正面の角度と向きの調整方法は、実施の形態（１）、（３）に係る装身具１、１Ｂと同様であり、装飾物１０の揺動及び装飾物正面の角度と向きの調整について、実施の形態（１）、（３）に係る装身具１、１Ｂと同様の作用及び効果を得ることができる。
【００７９】
実施の形態（３）、（４）、（５）に係る装身具１Ｂ、１Ｃ、１Ｄによれば、保持手段１２、１２Ａまたは補助具２０の少なくとも一方に錘部１５、２５が設けられ、錘部１５、２５により、装飾物１０及び／又は補助具２０について所定の均衡状態が調整されているので、例えば、正面に位置する看者からみて、装飾物１０の正面が、宝石等の装飾物本体１１、１１Ａが最も美しく見える角度と向きとなるように、装飾物や装身具全体の重心位置を調整して、重量バランスを適切に調整することができる。さらには、錘部１５、２５の重量や取り付け位置、数量によって、揺動の状態を変えることができ、装飾物１０の輝きに変化を持たせて、より魅惑的な装身具とすることができる。
【００８０】
図７は、実施の形態（６）に係る装身具を示す図であり、（ａ）は正面図、（ｂ−１）、（ｂ−２）、（ｂ−３）は部分断面側面図、（ｃ）は平面図である。
実施の形態（６）に係る装身具１Ｅが、実施の形態（１）〜（５）に係る各装身具１、１Ａ、１Ｂ、１Ｃ、１Ｄと相違する点は、装飾物本体１１の周囲に装飾枠１７が配置され、装飾枠１７が保持手段１２に固定されている点であり、その他の構成は、実施の形態（１）〜（５）に係る装身具１、１Ａ、１Ｂ、１Ｃ、１Ｄと同様であるので、同一機能を有する構成部品には同一符号を付し、その説明を省略する。
【００８１】
実施の形態（６）に係る装身具１Ｅは、装飾物本体１１の周囲に装飾枠１７が配置され、装飾枠１７が保持手段１２に固定されている。具体的には、図７に示すように、装飾枠１７が、保持手段１２から延設された保持部１８によって保持手段１２に保持されており、装飾枠１７の正面側に小さなダイヤモンドなどの装飾物本体１１ａが設けられている。この場合、保持部１８が４箇所に設けられているが、この形態に限定されない。保持部１８は、装飾枠１７を保持手段１２に保持可能な形態であればよい。
また、装飾枠１７は図７に示す略円環形状の他、半円形状やC字型形状などでもよく、その形状を自由にデザインすることができる。
ここで、宝石の配置形態は、図７（ａ）に限定されるものではなく、宝石の種類、サイズ、形状、配列などをデザインに応じて適宜設計することができる。
【００８２】
実施の形態（６）に係る装身具１Ｅには、中心部のダイヤモンドなどの装飾物本体１１の周囲に、小さなダイヤモンドなどの装飾物本体１１ａが散りばめられた装飾枠１７が設けられ、中心部の装飾物本体１１がより大きく見えるようにデザインが施されている。
装身具１Ｅでは、中心部の装飾物本体１１と装飾枠１７の装飾物本体１１ａとが一体化されて、同時に揺動し、かつ正面の看者から見て、装飾物本体１１と装飾枠１７のみが見えて、かつ装飾物本体１１と装飾枠１７の正面が審美的に美しい角度と向きに保持されて、揺動する形態となっている。
【００８３】
また、実施の形態（６）に係る装身具１Ｅでは、保持手段１２及び補助具２０のいずれにも錘部１５、２５を設けない構成とすることもできるが、保持手段１２又は補助具２０の少なくとも一方に、錘部１５、２５を設ける構成とすることもできる（すなわち、実施の形態（３）の構成を組み合わせることができる）。
【００８４】
実施の形態（６）に係る装身具１Ｅによれば、装飾物本体１１の周囲に、装飾枠１７が配置され、装飾枠１７が保持手段１２に固定されているので、装飾物本体１１と装飾枠１７とを一体構造として揺動させることができ、また、装飾物本体１１と装飾枠１７とが一体構造化され、その正面を、正面に位置する看者から見て審美的に適切な所定の角度と向きに調節することができる。
【００８５】
図８は、実施の形態（７）に係る装身具を示す図であり、（ａ−１）、（ａ−２）は正面図、（ｂ−１）、（ｂ−２）、（ｂ−３）は部分断面側面図、（ｃ）は平面図である。
実施の形態（７）に係る装身具１Ｆが、実施の形態（１）〜（６）に係る各装身具１、１Ａ、１Ｂ、１Ｃ、１Ｄ、１Ｅと相違する点は、装飾物本体１１Ａ、又は装飾物本体１１Ａに連結された外枠１７の周囲に、装飾枠１７Ａが配置され、装飾枠１７Ａが基体２１に固定されている点であり、その他の構成は、実施の形態（１）〜（６）に係る装身具１、１Ａ、１Ｂ、１Ｃ、１Ｄ、１Ｅと同様であるので、同一機能を有する構成部品には同一符号を付し、その説明を省略する。
【００８６】
実施の形態（７）に係る装身具１Ｆは、装飾物本体１１Ａ（装飾物本体１１Ａに直結された外枠１７を含む）の周囲に装飾枠１７Ａが配置され、装飾枠１７Ａが基体２１に固定されている。具体的には、図８に示すように、装飾枠１７Ａが、基体２１から延設された保持部１８Ａによって基体２１に保持されており、装飾枠１７Ａの正面側に小さなダイヤモンドなどの宝石や貴金属などからなる装飾物本体１１ａが設けられている。装飾枠１７Ａは揺動せず、中心部の装飾物本体１１Ａ（装飾物本体１１Ａに直結された外枠１７を含む）だけが揺動することで、中心部の装飾物本体１１Ａを際立たせることができる。また、揺動する装飾物本体１１Ａと、揺動せず、デザインされた装飾枠１７Ａとを設けることで、審美性を向上させることが可能となっている。
【００８７】
装飾枠１７Ａは図８に示す略円環形状の他、半円形状やC字型形状などでもよく、その形状を自由にデザインすることができる。
さらに、装飾枠１７Ａは、図８（ａ−１）に示すように、枠正面に小さな宝石が散りばめられた形態の他、図８（ａ−２）に示す装飾枠１７Ｂのように、貴金属などでデザインされたものであっても良い。
ここで、宝石の配置形態は、図８（ａ−１）、（ａ−２）に限定されるものではなく、宝石の種類、サイズ、形状、配列などをデザインに応じて適宜設計することができる。
また、装飾枠１７Ａで基体２１を兼用することもできる。
【００８８】
また、実施の形態（７）に係る装身具１Ｆでは、保持手段１２Ａに錘部１５が設けられているが、保持手段１２Ａ及び補助具２０に錘部１５、錘部２５を設ける構成とすることもできる。
【００８９】
補助具２０の基体２１に錘部２５を設けた場合、錘部２５によって、正面から見た、装飾枠１７Ａの鉛直軸に対する角度を自由に変えることができ、正面の看者からみて、最も美しい角度に装飾枠１７Ａを配置することができる。
また、錘部１５の有無、数量、重量、取り付け位置などによって、実施の形態（３）と同様に、装飾体本体１１Ａの正面の方向を、正面に位置する看者から見て審美的に適切な所定の角度と向きに調節することができるとともに、揺動状態を調節することができる。
【００９０】
実施の形態（７）に係る装身具１Ｆによれば、揺動する装飾物本体１１Ａの周囲に、揺動しない装飾枠１７Ａを設けることができる。また、装飾枠１７Ａは自由にデザインすることが可能であるため、揺動しない装飾枠１７Ａと揺動する装飾物本体１１Ａとを合わせた全体の自由なデザインが可能となり、それにより装身具の審美的価値を一層高めることができる。
【００９１】
なお、上記実施の形態（１）〜（７）に係る装身具は、装飾物本体１１、１１Ａ、１１ａが複数種類の宝石や貴金属などを含んで構成されている装飾物にも適用することができる。
【符号の説明】
【００９２】
１、１Ａ、１Ｂ、１Ｃ、１Ｄ、１Ｅ、１Ｆ  装身具
１０  装飾物
１１、１１Ａ、１１ａ  装飾物本体
１２、１２Ａ  保持手段
１３、１３Ａ、１３Ｂ、１３Ｃ、１３Ｄ  吊下部
１８、２２、２３  支持部
１４  装飾体
１５、２５  錘部
１７、１７Ａ、１７Ｂ  装飾枠
２０  補助具
２１  基体
２２ａ  水平位置規制部
２４  保持部
Ａ、Ａ１、Ａ２  係合部
Ｂ  装飾物の重心
【図１】
2017205406.tif 000003
【図２】
2017205406.tif 000004
【図３】
2017205406.tif 000005
【図４】
2017205406.tif 000006
【図５】
2017205406.tif 000007
【図６】
2017205406.tif 000008
【図７】
2017205406.tif 000009
【図８】
2017205406.tif 000010
【手続補正書】
【提出日】平成29年1月11日(2017.1.11)
【手続補正１】
【補正対象書類名】特許請求の範囲
【補正対象項目名】全文
【補正方法】変更
【補正の内容】
【特許請求の範囲】
【請求項１】
装飾物と、該装飾物を揺動可能に支持する補助具とを備えた装身具であって、
前記装飾物を前記補助具に対して揺動可能に吊り下げるための吊下部を備え、
前記補助具が、
基体と、
該基体から前記装飾物に向けて設置され、前記吊下部を支持することで前記装飾物を揺動可能にする支持部とを備え、
前記装飾物の重心をゼロ点とするXYZ座標系において、前記支持部と前記吊下部との各係合部の中心点の各XYZ座標値の平均座標を示す平均点が、前記装飾物の重心より上部に位置し、
前記平均点が、前記装飾物の重心を通る鉛直線上から偏芯した位置に配置されて、前記装飾物の正面が、前記装飾物の正面に位置する看者から見て審美的に適切な所定の角度や向きに調節されていることを特徴とする装身具。
【請求項２】
前記装飾物または前記補助具の少なくとも一方に錘部を備えていることを特徴とする請求項１記載の装身具。
【請求項３】
前記錘部が着脱可能であることを特徴とする請求項２記載の装身具。
【請求項４】
装飾物と、該装飾物を揺動可能に支持する補助具とを備えた装身具であって、
前記装飾物を前記補助具に対して揺動可能に吊り下げるための吊下部を備え、
前記補助具が、
基体と、
該基体から前記装飾物に向けて設置され、前記吊下部を支持することで前記装飾物を揺動可能にする支持部とを備え、
前記装飾物または前記補助具の少なくとも一方に錘部を備え、
該錘部が着脱可能であり、
前記装飾物の重心をゼロ点とするXYZ座標系において、前記支持部と前記吊下部との各係合部の中心点の各XYZ座標値の平均座標を示す平均点が、前記装飾物の重心より上部に位置し、
前記平均点が、前記装飾物の重心を通る鉛直線上、あるいは該鉛直線上から偏芯した位置に配置されて、前記装飾物の正面が、前記装飾物の正面に位置する看者から見て審美的に適切な所定の角度や向きに調節されていることを特徴とする装身具。
【請求項５】
前記装飾物が、装飾物本体と、該装飾物本体を保持する保持手段とを備え、
前記吊下部が、前記装飾物の正面に位置する看者から見えないように前記保持手段の背面に設けられていることを特徴とする請求項１〜４のいずれかの項に記載の装身具。
【請求項６】
前記基体が、前記装飾物の背面に設けられ、正面視における前記装飾物の外形形状より小さいことを特徴とする請求項１〜５のいずれかの項に記載の装身具。
【請求項７】
装飾物と、該装飾物を揺動可能に支持する補助具とを備えた装身具であって、
前記装飾物を前記補助具に対して揺動可能に吊り下げるための吊下部を備え、
該吊下部が、前記装飾物の正面に位置する看者から見えないように前記装飾物の背面に設けられ、
前記補助具が、
前記装飾物の背面側に設けられた基体と、
該基体から前記装飾物に向けて設置され、前記吊下部を支持することで前記装飾物を揺動可能にする支持部とを備え、
前記装飾物の重心をゼロ点とするXYZ座標系において、前記支持部と前記吊下部との各係合部の中心点の各XYZ座標値の平均座標を示す平均点が、前記装飾物の重心より上部に位置し、
前記平均点が、前記装飾物の重心を通る鉛直線上、あるいは該鉛直線上から偏芯した位置に配置されて、前記装飾物の正面が、前記装飾物の正面に位置する看者から見て審美的に適切な所定の角度や向きに調節されていることを特徴とする装身具。
【請求項８】
前記装飾物と前記補助具とを吊り下げるための保持部が設けられ、
該保持部が、前記装飾物と前記補助具とを含む全体の重心の鉛直線上、又は該鉛直線上から偏芯した位置に設置されていることを特徴とする請求項１〜７のいずれかの項に記載の装身具。
【請求項９】
前記装飾物の周囲に、装飾枠が配置され、
該装飾枠が前記装飾物に固定されていることを特徴とする請求項１〜８のいずれかの項に記載の装身具。
【請求項１０】
前記装飾物の周囲に、装飾枠が配置され、
該装飾枠が前記基体に固定されていることを特徴とする請求項１〜９のいずれかの項に記載の装身具。
【手続補正２】
【補正対象書類名】明細書
【補正対象項目名】００１０
【補正方法】変更
【補正の内容】
【００１０】
上記目的を達成するために本発明に係る装身具（１）は、装飾物と、該装飾物を揺動可能に支持する補助具とを備えた装身具であって、前記装飾物を前記補助具に対して揺動可能に吊り下げるための吊下部を備え、前記補助具が、基体と、該基体から前記装飾物に向けて設置され、前記吊下部を支持することで前記装飾物を揺動可能にする支持部とを備え、前記装飾物の重心をゼロ点とするXYZ座標系において、前記支持部と前記吊下部との各係合部の中心点の各XYZ座標値の平均座標を示す平均点が、前記装飾物の重心より上部に位置し、前記平均点が、前記装飾物の重心を通る鉛直線上から偏芯した位置に配置されて、前記装飾物の正面が、前記装飾物の正面に位置する看者から見て審美的に適切な所定の角度や向きに調節されていることを特徴としている。
【手続補正３】
【補正対象書類名】明細書
【補正対象項目名】００１１
【補正方法】変更
【補正の内容】
【００１１】
上記装身具（１）によれば、前記装飾物を揺動可能に保持し、さらに、前記装飾物の重心をゼロ点とするXYZ座標系において、前記支持部と前記吊下部との各係合部の中心点の各XYZ座標値の平均座標を示す平均点が、前記装飾物の重心より上部に位置し、前記平均点が、前記装飾物の重心を通る鉛直線上から偏芯した位置に配置されることによって、前記装飾物の正面が、前記看者から見て審美的に適切な所定の角度や向きに調節されているので、正面に位置する看者から見て、前記装飾物の正面を、宝石等からなる前記装飾物が最も美しく見える方向に向けることができるとともに、前記装飾物の小刻みな揺動が促され、リズミカルな揺動によって、前記装飾物の輝きの変化をより幻想的で、より魅惑的なものとすることができる。
【手続補正４】
【補正対象書類名】明細書
【補正対象項目名】００１５
【補正方法】変更
【補正の内容】
【００１５】
また本発明に係る装身具（４）は、装飾物と、該装飾物を揺動可能に支持する補助具とを備えた装身具であって、前記装飾物を前記補助具に対して揺動可能に吊り下げるための吊下部を備え、前記補助具が、基体と、該基体から前記装飾物に向けて設置され、前記吊下部を支持することで前記装飾物を揺動可能にする支持部とを備え、前記装飾物または前記補助具の少なくとも一方に錘部を備え、該錘部が着脱可能であり、前記装飾物の重心をゼロ点とするXYZ座標系において、前記支持部と前記吊下部との各係合部の中心点の各XYZ座標値の平均座標を示す平均点が、前記装飾物の重心より上部に位置し、前記平均点が、前記装飾物の重心を通る鉛直線上、あるいは該鉛直線上から偏芯した位置に配置されて、前記装飾物の正面が、前記装飾物の正面に位置する看者から見て審美的に適切な所定の角度や向きに調節されていることを特徴としている。
上記装身具（４）によれば、前記装飾物の正面が、前記看者から見て審美的に適切な所定の角度や向きに調節されているので、正面に位置する看者から見て、前記装飾物の正面を、宝石等からなる前記装飾物が最も美しく見える方向に向けることができるとともに、前記装飾物の小刻みな揺動が促され、リズミカルな揺動によって、前記装飾物の輝きの変化をより幻想的で、より魅惑的なものとすることができる。
また、前記装飾物と前記補助具とが所定の均衡状態となるように、前記装飾物または前記補助具の少なくとも一方、すなわち前記装飾物または前記補助具、あるいは両者に前記錘部が設けられ、該錘部により前記所定の均衡状態が調整されているので、例えば、正面に位置する看者から見て、前記装飾物の正面が、宝石等からなる前記装飾物が最も美しく見える角度や向きとなるように、当該装身具全体の重量バランスを適切に調整することができる。さらには、前記錘部の重量や数量、取り付け位置によって、前記装飾物の振幅や周期などの揺動状態を変えることができる。
さらに、前記錘部が着脱可能に構成されているので、前記錘部の位置や数量、重量などを調整することで、装着者が自由に、前記装飾物の正面の角度や向きおよび振幅や周期などの揺動状態を調整することができる。
また本発明に係る装身具（５）は、上記装身具（１）〜（４）のいずれかにおいて、前記装飾物が、装飾物本体と、該装飾物本体を保持する保持手段とを備え、前記吊下部が、前記装飾物の正面に位置する看者から見えないように前記保持手段の背面に設けられていることを特徴としている。
【手続補正５】
【補正対象書類名】明細書
【補正対象項目名】００１６
【補正方法】変更
【補正の内容】
【００１６】
上記装身具（５）によれば、前記吊下部が、前記装飾物の正面に位置する看者から見えないように設けられているため、前記装飾物を宙に浮いているように見せることができるため、装身具の審美的価値を一層高めることができる。
【手続補正６】
【補正対象書類名】明細書
【補正対象項目名】００１７
【補正方法】変更
【補正の内容】
【００１７】
また本発明に係る装身具（６）は、上記装身具（１）〜（５）のいずれかにおいて、前記基体が、前記装飾物の背面に設けられ、正面視における前記装飾物の外形形状より小さいことを特徴としている。
【手続補正７】
【補正対象書類名】明細書
【補正対象項目名】００１８
【補正方法】変更
【補正の内容】
【００１８】
上記装身具（６）によれば、前記基体が、前記装飾物の背面に設けられ、正面視における前記装飾物の外形形状より小さいので、正面の看者に前記装飾物のみを見せることが可能になる。そのため、正面に位置する看者に、前記装飾物のみが揺動している状態を見せることができ、これにより、前記補助具と前記装飾物とを統一的なデザインにする必要がなく、前記装飾物のデザインの自由度を高めることができ、装身具の審美的価値も一層高めることができる。
また本発明に係る装身具（７）は、装飾物と、該装飾物を揺動可能に支持する補助具とを備えた装身具であって、前記装飾物を前記補助具に対して揺動可能に吊り下げるための吊下部を備え、該吊下部が、前記装飾物の正面に位置する看者から見えないように前記装飾物の背面に設けられ、前記補助具が、前記装飾物の背面側に設けられた基体と、該基体から前記装飾物に向けて設置され、前記吊下部を支持することで前記装飾物を揺動可能にする支持部とを備え、前記装飾物の重心をゼロ点とするXYZ座標系において、前記支持部と前記吊下部との各係合部の中心点の各XYZ座標値の平均座標を示す平均点が、前記装飾物の重心より上部に位置し、前記平均点が、前記装飾物の重心を通る鉛直線上、あるいは該鉛直線上から偏芯した位置に配置されて、前記装飾物の正面が、前記装飾物の正面に位置する看者から見て審美的に適切な所定の角度や向きに調節されていることを特徴としている。
上記装身具（７）によれば、前記装飾物を揺動可能に保持し、さらに、前記装飾物の重心をゼロ点とするXYZ座標系において、前記支持部と前記吊下部との各係合部の中心点の各XYZ座標値の平均座標を示す平均点が、前記装飾物の重心より上部に位置し、前記平均点が、前記装飾物の重心を通る鉛直線上、あるいは該鉛直線上から偏芯した位置に配置されることによって、前記装飾物の正面が、前記看者から見て審美的に適切な所定の角度や向きに調節されているので、正面に位置する看者から見て、前記装飾物の正面を、宝石等からなる前記装飾物が最も美しく見える方向に向けることができるとともに、前記装飾物の小刻みな揺動が促され、リズミカルな揺動によって、前記装飾物の輝きの変化をより幻想的で、より魅惑的なものとすることができる。
また、前記吊下部が、前記装飾物の正面に位置する看者から見えないように設けられ、前記基体が、前記装飾物の背面に設けられているので、正面の看者に前記装飾物が宙に浮いているように見せることが可能になる。そのため、正面に位置する看者に、前記装飾物のみが揺動している状態を見せることができ、これにより、前記補助具と前記装飾物とを統一的なデザインにする必要がなく、前記装飾物のデザインの自由度を高めることができ、装身具の審美的価値も一層高めることができる。
【手続補正８】
【補正対象書類名】明細書
【補正対象項目名】００１９
【補正方法】変更
【補正の内容】
【００１９】
また本発明に係る装身具（８）は、上記装身具（１）〜（７）のいずれかにおいて、前記装飾物と前記補助具とを吊り下げるための保持部が設けられ、該保持部が、前記装飾物と前記補助具とを含む全体の重心の鉛直線上、又は該鉛直線上から偏芯した位置に配設されていることを特徴としている。
【手続補正９】
【補正対象書類名】明細書
【補正対象項目名】００２０
【補正方法】変更
【補正の内容】
【００２０】
上記装身具（８）によれば、前記装飾物をネックレスやピアス、イヤリングのように、前記装飾物と前記補助具とを吊り下げて使用する場合であり、かつ、前記保持部が、前記装飾物と前記補助具とを含む全体の重心の鉛直線上に配設されている場合には、前記装飾物の略正面を常に前記所定の角度や向きに設定することができる。
または、前記保持部が、前記装飾物と前記補助具とを含む全体の重心の鉛直線上から偏芯した位置に配設されることによって、後述する装身具（１０）で、前記装飾物の周囲に設置される装飾枠を、前記看者から見て審美的に適切な所定の向きや角度に調節することができる。
【手続補正１０】
【補正対象書類名】明細書
【補正対象項目名】００２１
【補正方法】変更
【補正の内容】
【００２１】
また本発明に係る装身具（９）は、上記装身具（１）〜（８）のいずれかにおいて、前記装飾物の周囲に、装飾枠が配置され、該装飾枠が前記装飾物に固定されていることを特徴としている。
【手続補正１１】
【補正対象書類名】明細書
【補正対象項目名】００２２
【補正方法】変更
【補正の内容】
【００２２】
上記装身具（９）によれば、前記装飾物の周囲に、前記装飾枠が配置され、該装飾枠が前記装飾物に固定されているので、前記装飾物と前記装飾枠とを一体構造として揺動させることができ、また、前記装飾物と前記装飾枠を合わせた全体の正面を、正面に位置する看者から見て審美的に適切な所定の角度や向きに調節することができる。
たとえば、前記装飾物がダイヤモンドなどの宝石を含む場合、中央にダイヤモンドを配置し、その周囲に前記装飾枠を設け、該装飾枠の正面に小さなダイヤモンドが散りばめられたものとすることで、正面の看者に、中央のダイヤモンドと前記装飾枠に散りばめられた小さなダイヤモンド群を含めた全体を一つの大きなダイヤモンドのように見せるように、デザインを施すことができる。上記装身具（９）によれば、このようなデザインでも、中央のダイヤモンドと前記装飾枠に散りばめられた小さなダイヤモンド群を一体構造として取り扱うことが可能となるため、それらを一体構造として揺動させ、かつ前記装飾枠を含めた正面全体を正面に位置する看者から見て審美的に適切な所定の角度や向きに調節することができる。
【手続補正１２】
【補正対象書類名】明細書
【補正対象項目名】００２３
【補正方法】変更
【補正の内容】
【００２３】
また本発明に係る装身具（１０）は、上記装身具（１）〜（９）のいずれかにおいて、前記装飾物の周囲に、装飾枠が配置され、前記装飾枠が前記基体に固定されていることを特徴としている。
【手続補正１３】
【補正対象書類名】明細書
【補正対象項目名】００２４
【補正方法】変更
【補正の内容】
【００２４】
上記装身具（１０）によれば、揺動する前記装飾物の周囲に、揺動しない前記装飾枠を設けることができる。また、前記装飾枠は自由にデザインすることが可能であるため、揺動しない装飾枠と、揺動する前記装飾物とを合わせた全体の自由なデザインが可能となり、それにより装身具の審美的価値を一層高めることができる。かつ装身具（９）と組み合わせて、装身具（１０）をネックレスやピアス、イヤリングなどのように吊り下げて使用する場合、装身具（１０）を吊り下げるための前記保持部が、前記装飾物と前記補助具とを含む全体の重心の鉛直線上、又は該鉛直線上から偏芯した位置に配設することによって、前記装飾枠を正面に位置する看者からみて審美的に適切な所定の角度や向きに調節することができる。
【手続補正書】
【提出日】平成29年3月22日(2017.3.22)
【手続補正１】
【補正対象書類名】特許請求の範囲
【補正対象項目名】全文
【補正方法】変更
【補正の内容】
【特許請求の範囲】
【請求項１】
装飾物と、該装飾物を揺動可能に支持する補助具とを備えた装身具であって、
前記装飾物を前記補助具に対して揺動可能に吊り下げるための吊下部を備え、
前記補助具が、
基体と、
該基体から前記装飾物に向けて設置され、前記吊下部を支持することで前記装飾物を揺動可能にする支持部とを備え、
前記装飾物または前記補助具の少なくとも一方に錘部を備え、
該錘部が着脱可能であり、
前記装飾物の重心をゼロ点とするXYZ座標系において、前記支持部と前記吊下部との各係合部の中心点の各XYZ座標値の平均座標を示す平均点が、前記装飾物の重心より上部に位置し、
前記平均点が、前記装飾物の重心を通る鉛直線上、あるいは該鉛直線上から偏芯した位置に配置されて、前記装飾物の正面が、前記装飾物の正面に位置する看者から見て審美的に適切な所定の角度や向きに調節されていることを特徴とする装身具。
【請求項２】
前記装飾物が、装飾物本体と、該装飾物本体を保持する保持手段とを備え、
前記吊下部が、前記装飾物の正面に位置する看者から見えないように前記保持手段の背面に設けられていることを特徴とする請求項１記載の装身具。
【請求項３】
前記基体が、前記装飾物の背面に設けられ、正面視における前記装飾物の外形形状より小さいことを特徴とする請求項１又は請求項２記載の装身具。
【請求項４】
前記装飾物と前記補助具とを吊り下げるための保持部が設けられ、
該保持部が、前記装飾物と前記補助具とを含む全体の重心の鉛直線上、又は該鉛直線上から偏芯した位置に設置されていることを特徴とする請求項１〜３のいずれかの項に記載の装身具。
【請求項５】
前記装飾物の周囲に、装飾枠が配置され、
該装飾枠が前記装飾物に固定されていることを特徴とする請求項１〜４のいずれかの項に記載の装身具。
【請求項６】
前記装飾物の周囲に、装飾枠が配置され、
該装飾枠が前記基体に固定されていることを特徴とする請求項１〜５のいずれかの項に記載の装身具。
【手続補正２】
【補正対象書類名】明細書
【補正対象項目名】００１０
【補正方法】削除
【補正の内容】
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】変更
【補正の内容】
【００１５】
上記目的を達成するために本発明に係る装身具（１）は、装飾物と、該装飾物を揺動可能に支持する補助具とを備えた装身具であって、前記装飾物を前記補助具に対して揺動可能に吊り下げるための吊下部を備え、前記補助具が、基体と、該基体から前記装飾物に向けて設置され、前記吊下部を支持することで前記装飾物を揺動可能にする支持部とを備え、前記装飾物または前記補助具の少なくとも一方に錘部を備え、該錘部が着脱可能であり、前記装飾物の重心をゼロ点とするXYZ座標系において、前記支持部と前記吊下部との各係合部の中心点の各XYZ座標値の平均座標を示す平均点が、前記装飾物の重心より上部に位置し、前記平均点が、前記装飾物の重心を通る鉛直線上、あるいは該鉛直線上から偏芯した位置に配置されて、前記装飾物の正面が、前記装飾物の正面に位置する看者から見て審美的に適切な所定の角度や向きに調節されていることを特徴としている。
上記装身具（１）によれば、前記装飾物を揺動可能に保持し、さらに、前記装飾物の重心をゼロ点とするXYZ座標系において、前記支持部と前記吊下部との各係合部の中心点の各XYZ座標値の平均座標を示す平均点が、前記装飾物の重心より上部に位置し、前記平均点が、前記装飾物の重心を通る鉛直線上、あるいは該鉛直線上から偏芯した位置に配置されることによって、前記装飾物の正面が、前記看者から見て審美的に適切な所定の角度や向きに調節されているので、正面に位置する看者から見て、前記装飾物の正面を、宝石等からなる前記装飾物が最も美しく見える方向に向けることができるとともに、前記装飾物の小刻みな揺動が促され、リズミカルな揺動によって、前記装飾物の輝きの変化をより幻想的で、より魅惑的なものとすることができる。
また、前記装飾物と前記補助具とが所定の均衡状態となるように、前記装飾物または前記補助具の少なくとも一方、すなわち前記装飾物または前記補助具、あるいは両者に前記錘部が設けられ、該錘部により前記所定の均衡状態が調整されているので、例えば、正面に位置する看者から見て、前記装飾物の正面が、宝石等からなる前記装飾物が最も美しく見える角度や向きとなるように、当該装身具全体の重量バランスを適切に調整することができる。さらには、前記錘部の重量や数量、取り付け位置によって、前記装飾物の振幅や周期などの揺動状態を変えることができる。
さらに、前記錘部が着脱可能に構成されているので、前記錘部の位置や数量、重量などを調整することで、装着者が自由に、前記装飾物の正面の角度や向きおよび振幅や周期などの揺動状態を調整することができる。
また本発明に係る装身具（２）は、上記装身具（１）において、前記装飾物が、装飾物本体と、該装飾物本体を保持する保持手段とを備え、前記吊下部が、前記装飾物の正面に位置する看者から見えないように前記保持手段の背面に設けられていることを特徴としている。
【手続補正８】
【補正対象書類名】明細書
【補正対象項目名】００１６
【補正方法】変更
【補正の内容】
【００１６】
上記装身具（２）によれば、前記吊下部が、前記装飾物の正面に位置する看者から見えないように設けられているため、前記装飾物を宙に浮いているように見せることができるため、装身具の審美的価値を一層高めることができる。
【手続補正９】
【補正対象書類名】明細書
【補正対象項目名】００１７
【補正方法】変更
【補正の内容】
【００１７】
また本発明に係る装身具（３）は、上記装身具（１）又は（２）において、前記基体が、前記装飾物の背面に設けられ、正面視における前記装飾物の外形形状より小さいことを特徴としている。
【手続補正１０】
【補正対象書類名】明細書
【補正対象項目名】００１８
【補正方法】変更
【補正の内容】
【００１８】
上記装身具（３）によれば、前記基体が、前記装飾物の背面に設けられ、正面視における前記装飾物の外形形状より小さいので、正面の看者に前記装飾物のみを見せることが可能になる。そのため、正面に位置する看者に、前記装飾物のみが揺動している状態を見せることができ、これにより、前記補助具と前記装飾物とを統一的なデザインにする必要がなく、前記装飾物のデザインの自由度を高めることができ、装身具の審美的価値も一層高めることができる。
【手続補正１１】
【補正対象書類名】明細書
【補正対象項目名】００１９
【補正方法】変更
【補正の内容】
【００１９】
また本発明に係る装身具（４）は、上記装身具（１）〜（３）のいずれかにおいて、前記装飾物と前記補助具とを吊り下げるための保持部が設けられ、該保持部が、前記装飾物と前記補助具とを含む全体の重心の鉛直線上、又は該鉛直線上から偏芯した位置に配設されていることを特徴としている。
【手続補正１２】
【補正対象書類名】明細書
【補正対象項目名】００２０
【補正方法】変更
【補正の内容】
【００２０】
上記装身具（４）によれば、前記装飾物をネックレスやピアス、イヤリングのように、前記装飾物と前記補助具とを吊り下げて使用する場合であり、かつ、前記保持部が、前記装飾物と前記補助具とを含む全体の重心の鉛直線上に配設されている場合には、前記装飾物の略正面を常に前記所定の角度や向きに設定することができる。
または、前記保持部が、前記装飾物と前記補助具とを含む全体の重心の鉛直線上から偏芯した位置に配設されることによって、後述する装身具（６）で、前記装飾物の周囲に設置される装飾枠を、前記看者から見て審美的に適切な所定の向きや角度に調節することができる。
【手続補正１３】
【補正対象書類名】明細書
【補正対象項目名】００２１
【補正方法】変更
【補正の内容】
【００２１】
また本発明に係る装身具（５）は、上記装身具（１）〜（４）のいずれかにおいて、前記装飾物の周囲に、装飾枠が配置され、該装飾枠が前記装飾物に固定されていることを特徴としている。
【手続補正１４】
【補正対象書類名】明細書
【補正対象項目名】００２２
【補正方法】変更
【補正の内容】
【００２２】
上記装身具（５）によれば、前記装飾物の周囲に、前記装飾枠が配置され、該装飾枠が前記装飾物に固定されているので、前記装飾物と前記装飾枠とを一体構造として揺動させることができ、また、前記装飾物と前記装飾枠を合わせた全体の正面を、正面に位置する看者から見て審美的に適切な所定の角度や向きに調節することができる。
たとえば、前記装飾物がダイヤモンドなどの宝石を含む場合、中央にダイヤモンドを配置し、その周囲に前記装飾枠を設け、該装飾枠の正面に小さなダイヤモンドが散りばめられたものとすることで、正面の看者に、中央のダイヤモンドと前記装飾枠に散りばめられた小さなダイヤモンド群を含めた全体を一つの大きなダイヤモンドのように見せるように、デザインを施すことができる。上記装身具（５）によれば、このようなデザインでも、中央のダイヤモンドと前記装飾枠に散りばめられた小さなダイヤモンド群を一体構造として取り扱うことが可能となるため、それらを一体構造として揺動させ、かつ前記装飾枠を含めた正面全体を正面に位置する看者から見て審美的に適切な所定の角度や向きに調節することができる。
【手続補正１５】
【補正対象書類名】明細書
【補正対象項目名】００２３
【補正方法】変更
【補正の内容】
【００２３】
また本発明に係る装身具（６）は、上記装身具（１）〜（５）のいずれかにおいて、前記装飾物の周囲に、装飾枠が配置され、前記装飾枠が前記基体に固定されていることを特徴としている。
【手続補正１６】
【補正対象書類名】明細書
【補正対象項目名】００２４
【補正方法】変更
【補正の内容】
【００２４】
上記装身具（６）によれば、揺動する前記装飾物の周囲に、揺動しない前記装飾枠を設けることができる。また、前記装飾枠は自由にデザインすることが可能であるため、揺動しない装飾枠と、揺動する前記装飾物とを合わせた全体の自由なデザインが可能となり、それにより装身具の審美的価値を一層高めることができる。かつ装身具（４）と組み合わせて、装身具（６）をネックレスやピアス、イヤリングなどのように吊り下げて使用する場合、装身具（６）を吊り下げるための前記保持部が、前記装飾物と前記補助具とを含む全体の重心の鉛直線上、又は該鉛直線上から偏芯した位置に配設することによって、前記装飾枠を正面に位置する看者からみて審美的に適切な所定の角度や向きに調節することができる。